(57)【特許請求の範囲】
【請求項１】
施設園芸ハウス内の暖房、冷房及び除湿を行う施設園芸ハウス用ヒートポンプ式空気調和機において、
前記空気調和機は、筐体内に、圧縮機、凝縮器、蒸発器、凝縮器用ファン及び蒸発器用ファンを内蔵する一体型の冷却機として構成され、
前記凝縮器用ファンは、前記施設園芸ハウス内の空気を吸込んで前記凝縮器に導き熱交換させた後前記筐体外に吹き出し、
前記蒸発器用ファンは、前記施設園芸ハウス内の空気を吸込んで前記蒸発器に導き熱交換させた後前記筐体外に吹き出すように構成され、
更に、前記筐体上部には、前記凝縮器用ファンから筐体外に吹き出される温風を前記施設園芸ハウス内の所望の方向に導くことができるように吹出方向を自由に変えることができ且つその長さも伸縮自在に構成されていると共に、施設園芸ハウス外に前記温風を排出可能に構成された温風ダクトと、
前記蒸発器用ファンから筐体外に吹き出される冷風を前記施設園芸ハウス内の所望の方向に導くことができるように吹出方向を自由に変えることができ且つその長さも伸縮自在に構成されていると共に、施設園芸ハウス外に前記冷風を排出可能に構成された冷風ダクトと
を備えていることを特徴とする施設園芸ハウス用ヒートポンプ式空気調和機。
【請求項２】
請求項１において、前記圧縮機、凝縮器及び蒸発器は耐腐食コーティングされた銅製の冷媒配管で接続されていることを特徴とする施設園芸ハウス用ヒートポンプ式空気調和機。
【請求項３】
請求項１又は２において、農薬及び肥料を除去可能なフィルタを、前記凝縮器及び前記蒸発器への吸込口の少なくとも何れかに設けたことを特徴とする施設園芸ハウス用ヒートポンプ式空気調和機。
【請求項４】
請求項１〜３の何れかにおいて、前記凝縮器を構成する熱交換器は、前記蒸発器を構成する熱交換器より大きく、且つ前記凝縮器用ファンはプロペラファンとし、前記蒸発器用ファンはシロッコファンとして凝縮器用ファンの風量を蒸発器用ファンの風量より大風量となるように構成したことを特徴とする施設園芸ハウス用ヒートポンプ式空気調和機。
【請求項５】
請求項１〜４の何れかにおいて、湿度センサを設け、該湿度センサで検出された湿度が第１の設定値になると電源回路をONにして圧縮機を駆動し、第２の設定値まで低下すると前記電源回路をOFFして前記圧縮機を停止させる構成としたことを特徴とする施設園芸ハウス用ヒートポンプ式空気調和機。
【請求項６】
請求項１に記載の空気調和機を施設園芸ハウス内に設置し、
除湿運転を行う場合には、冷風ダクトからの冷風及び温風ダクトからの温風を同時に施設園芸ハウス内に吹き出し、
冷風吹出し運転を行う場合には、前記冷風ダクトからの冷風をハウス内に吹き出すと共に、前記温風ダクトを介して温風ダクトからの温風をハウス外に排出し、
温風吹出し運転を行う場合には、前記温風ダクトからの温風をハウス内に吹き出すと共に、前記冷風ダクトを介して前記冷風ダクトからの冷風をハウス外に排出する
ことを特徴とする施設園芸ハウスの空調方法。
【請求項７】
請求項６において、前記冷風ダクト及び温風ダクトのうち、ハウス内に吹き出すダクトについては、施設園芸ハウス内の所望のエリアに向けて作物などに直接当らないように水平方向に吹き出すことを特徴とする施設園芸ハウスの空調方法。
【請求項８】
施設園芸ハウス内の空調を行う施設園芸ハウス用ヒートポンプ式空気調和機において、
前記空気調和機は、筐体内に、圧縮機、凝縮器、蒸発器、凝縮器用ファン及び蒸発器用ファンを内蔵する一体型の冷却機として構成され、
前記凝縮器用ファンは、前記施設園芸ハウス内の空気を吸込んで前記凝縮器に導き熱交換させた後前記筐体外に吹き出し、
前記蒸発器用ファンは、前記施設園芸ハウス内の空気を吸込んで前記蒸発器に導き熱交換させた後前記筐体外に吹き出すように構成され、
更に、前記筐体上部には、前記凝縮器用ファンから筐体外に吹き出される温風を前記施設園芸ハウス内の所望の方向に導くことができるように吹出方向を自由に変えることができ且つその長さも伸縮自在に構成されていると共に、施設園芸ハウス外に前記温風を排出可能に構成された温風ダクトと、
前記蒸発器用ファンから筐体外に吹き出される冷風を前記施設園芸ハウス内の所望の方向に導くことができるように吹出方向を自由に変えることができ且つその長さも伸縮自在に構成されていると共に、施設園芸ハウス外に前記冷風を排出可能に構成された冷風ダクトと、
前記蒸発器で凝縮された凝縮水を受けるドレンパンと
を備えていることを特徴とする施設園芸ハウス用ヒートポンプ式空気調和機。
【請求項９】
請求項６または７において、前記ヒートポンプ式空気調和機にキャスタを設置し、前記施設園芸ハウス内の空調対象エリア又はその近傍に前記ヒートポンプ式空気調和機を移動させて空調対象エリアの空調を行うことを特徴とする施設園芸ハウスの空調方法。
【発明の詳細な説明】
【技術分野】
【０００１】
本発明はビニールハウスや温室などの施設園芸ハウス内の空調用に用いられる施設園芸ハウス用ヒートポンプ式空気調和機及び施設園芸ハウスの空調方法に関し、特に薔薇などの植物やトマトやメロンなどの作物を栽培するハウス内の除湿に好適なものである。
【背景技術】
【０００２】
施設園芸ハウス内の空調用に用いられるヒートポンプ式空気調和機としては特許文献１や特許文献２に記載のものなどがある。
【０００３】
特許文献１に記載のものでは、ヒートポンプ式空気調和機を利用して施設園芸ハウス内の冷房と除湿を行うことが記載されている。
【０００４】
また、特許文献２のものでは、ヒートポンプ式空気調和機を利用して施設園芸ハウス内の冷房、除湿、暖房を行うことが記載されている。
【先行技術文献】
【特許文献】
【０００５】
【特許文献１】特開平５−３０８８５９号公報
【特許文献２】特開昭５８−１７５７６４号公報
【発明の概要】
【発明が解決しようとする課題】
【０００６】
しかし、これらの文献のものは、何れも施設園芸ハウスの外部に室外熱交換器を含む室外機を設置し、室内には室内熱交換器を含む室内機を設置して、これら室内外機を冷媒配管で接続しているもので、これらの空調機器を一度設置すると、空調機器の移動は基本的に困難なものであった。また、前記室内機から施設園芸ハウス内に吹き出される空気量にも限界があり、容積の大きな施設園芸ハウス内全体を空調するには極めて大容量の空気調和機が必要となり、コストを考えると、現実的にはヒートポンプ式空気調和機を採用することは困難であった。
【０００７】
特に、除湿運転時には、従来のヒートポンプ式空気調和機では温度を低下させないようにするため、風量を低下させるものが一般的であり、施設園芸ハウス内全体の湿度を低下させたり、施設園芸ハウス内の所望のエリアに対し随時除湿をすることも困難であった。
【０００８】
また、施設園芸ハウス内は、夏には４０℃以上もの高温になることも多く、更に施設園芸ハウス内では消毒薬剤（農薬）や肥料が使用されるが、そのような高温条件や薬剤などに対する配慮も為されていない。
【０００９】
本発明の目的は、施設園芸ハウス内の所望のエリアに対し容易に除湿、空調することが可能な施設園芸ハウス用ヒートポンプ式空気調和機を得ることにある。
【００１０】
本発明の他の目的は、除湿運転時の風量を増大させて施設園芸ハウス内を効果的に除湿することのできる施設園芸ハウス用ヒートポンプ式空気調和機を得ることにある。
【００１１】
本発明の更に他の目的は、高温条件や薬剤などの環境に対しても十分な能力を発揮でき、薬剤などに対する腐食も防止して信頼性の高い施設園芸ハウス用ヒートポンプ式空気調和機を得ることにある。
【００１２】
本発明の更に他の目的は、施設園芸ハウス内の全域に亘り容易に除湿、空調の行える施設園芸ハウスの空調方法を得ることにある。
【課題を解決するための手段】
【００１３】
上記目的を達成するため、本発明は、施設園芸ハウス内の暖房、冷房及び除湿を行う施設園芸ハウス用ヒートポンプ式空気調和機において、前記空気調和機は、筐体内に、圧縮機、凝縮器、蒸発器、凝縮器用ファン及び蒸発器用ファンを内蔵する一体型の冷却機として構成され、前記凝縮器用ファンは、前記施設園芸ハウス内の空気を吸込んで前記凝縮器に導き熱交換させた後前記筐体外に吹き出し、前記蒸発器用ファンは、前記施設園芸ハウス内の空気を吸込んで前記蒸発器に導き熱交換させた後前記筐体外に吹き出すように構成され、更に、前記筐体上部には、前記凝縮器用ファンから筐体外に吹き出される温風を前記施設園芸ハウス内の所望の方向に導くことができるように吹出方向を自由に変えることができ且つその長さも伸縮自在に構成されていると共に、施設園芸ハウス外に前記温風を排出可能に構成された温風ダクトと、前記蒸発器用ファンから筐体外に吹き出される冷風を前記施設園芸ハウス内の所望の方向に導くことができるように吹出方向を自由に変えることができ且つその長さも伸縮自在に構成されていると共に、施設園芸ハウス外に前記冷風を排出可能に構成された冷風ダクトとを備えていることを特徴とする。
【００１４】
ここで、前記圧縮機、凝縮器及び蒸発器は耐腐食コーティングされた銅製の冷媒配管で接続するようにすると良い。また、農薬及び肥料を除去可能なフィルタを、前記凝縮器又は前記蒸発器への吸込口の少なくとも何れかに設けるようにすると良い。
【００１５】
前記凝縮器を構成する熱交換器は、前記蒸発器を構成する熱交換器より大きく、且つ前記凝縮器用ファンはプロペラファンとし、前記蒸発器用ファンはシロッコファンとして凝縮器用ファンの風量を蒸発器用ファンの風量より大風量となるように構成すると、ハウス内が高温となっても能力を確保できる。
【００１６】
また、湿度センサを設け、該湿度センサで検出された湿度が第１の設定値になると電源回路をONにして圧縮機を駆動し、第２の設定値まで低下すると前記電源回路をOFFして前記圧縮機を停止させる構成とすれば、簡単な構成で施設園芸ハウス内の湿度コントロールを自動的に行うことが可能となる。
【００１７】
本発明の他の特徴は、上記構成の空気調和機を施設園芸ハウス内に設置し、除湿運転を行う場合には、冷風ダクトからの冷風及び温風ダクトからの温風を同時に施設園芸ハウス内に吹き出し、冷風吹出し運転を行う場合には、前記冷風ダクトからの冷風をハウス内に吹き出すと共に、温風ダクトからの温風をハウス外に排出し、温風吹出し運転を行う場合には、前記温風ダクトからの温風をハウス内に吹き出すと共に、前記冷風ダクトからの冷風をハウス外に排出することを特徴とする施設園芸ハウスの空調方法にある。
【００１８】
ここで、前記冷風ダクト及び温風ダクトのうち、ハウス内に吹き出すダクトについては、施設園芸ハウス内の所望のエリアに向けて作物などに直接当らないように水平方向に吹き出すようにすると良い。
【００１９】
本発明の他の特徴は、施設園芸ハウス内の空調を行う施設園芸ハウス用ヒートポンプ式空気調和機において、前記空気調和機は、筐体内に、圧縮機、凝縮器、蒸発器、凝縮器用ファン及び蒸発器用ファンを内蔵する一体型の冷却機として構成され、前記凝縮器用ファンは、前記施設園芸ハウス内の空気を吸込んで前記凝縮器に導き熱交換させた後前記筐体外に吹き出し、前記蒸発器用ファンは、前記施設園芸ハウス内の空気を吸込んで前記蒸発器に導き熱交換させた後前記筐体外に吹き出すように構成され、更に、前記筐体上部には、前記凝縮器用ファンから筐体外に吹き出される温風を前記施設園芸ハウス内の所望の方向に導くことができるように吹出方向を自由に変えることができ且つその長さも伸縮自在に構成されていると共に、施設園芸ハウス外に前記温風を排出可能に構成された温風ダクトと、前記蒸発器用ファンから筐体外に吹き出される冷風を前記施設園芸ハウス内の所望の方向に導くことができるように吹出方向を自由に変えることができ且つその長さも伸縮自在に構成されていると共に、施設園芸ハウス外に前記冷風を排出可能に構成された冷風ダクトと、前記蒸発器で凝縮された凝縮水を受けるドレンパンとを備えていることにある。
【００２３】
なお、前記ヒートポンプ式空気調和機にキャスタを設置すれば、台車やクレーンなどを使用することなく、前記施設園芸ハウス内の空調対象エリア又はその近傍に前記ヒートポンプ式空気調和機を移動させて空調対象エリアの空調を容易に行うことができる。
【発明の効果】
【００２５】
本発明によれば、空気調和機は、筐体内に、圧縮機、凝縮器、蒸発器、凝縮器用ファン及び蒸発器用ファンを内蔵する一体型の冷却機として構成され、前記筐体上部には、前記凝縮器用ファンから筐体外に吹き出される温風を施設園芸ハウス内の所望の方向に導くことができるように吹出方向を自由に変えることができ且つその長さも伸縮自在に構成されていると共に、施設園芸ハウス外に前記温風を排出可能に構成された温風ダクトと、蒸発器用ファンから筐体外に吹き出される冷風を施設園芸ハウス内の所望の方向に導くことができるように吹出方向を自由に変えることができ且つその長さも伸縮自在に構成されていると共に、施設園芸ハウス外に前記冷風を排出可能に構成された冷風ダクトを備えているので、施設園芸ハウス内の所望のエリアに対し容易に除湿、空調することが可能な施設園芸ハウス用ヒートポンプ式空気調和機及び施設園芸ハウスの空調方法を得ることができる。
【００２６】
また、除湿運転時には、除湿された冷風だけでなく、温風も施設園芸ハウス内に吹き出すようにしているので、除湿運転時の風量を増大させて施設園芸ハウス内を効果的に除湿することが可能となる。
【００２７】
更に、前記圧縮機、凝縮器及び蒸発器は耐腐食コーティングされた銅製の冷媒配管で接続するようにすれば、薬剤などの環境に対しても十分な能力を発揮でき、薬剤などに対する腐食も防止して信頼性の高い施設園芸ハウス用ヒートポンプ式空気調和機を得ることができる。
【図面の簡単な説明】
【００２８】
【図１】本発明の施設園芸ハウス用ヒートポンプ式空気調和機及び施設園芸ハウスの空調方法の実施例１を説明する模式図で、除湿運転をしている状態を示す図。
【図２】図１に示す実施例１の空気調和機により冷却、除湿運転をしている状態を示す模式図。
【図３】図１に示す実施例１の空気調和機により加温、除湿運転をしている状態を示す模式図。
【図４】実施例１における空気調和機の具体的構成を一部破断して示す正面図。
【図５】図４に示す空気調和機を一部破断して示す側面図。
【図６】図４に示す空気調和機の平面図。
【図７】実施例１の冷凍サイクル構成図。
【図８】本発明の実施例２を示す空気調和機の正面図。
【図９】図８の側面図。
【発明を実施するための形態】
【００２９】
以下、本発明の実施例について図面を用いて説明する。
【実施例１】
【００３０】
図１〜図７は、本発明の施設園芸ハウス用ヒートポンプ式空気調和機及び施設園芸ハウスの空調方法の実施例１を説明する図で、図１〜図３は施設園芸ハウス内に空気調和機を設置して使用している態様を説明する模式図、図４〜図６は本実施例における空気調和機の具体的構成を示す図、図７は本実施例における冷凍サイクル構成図である。
【００３１】
図１〜図３において、１はビニールハウスや温室（例えばグラスハウス）などの施設園芸用のハウスで、この施設園芸ハウス内では薔薇などの草木や、メロン、トマト、きゅうり、苺などの作物が栽培されるものである。また、１ａはハウスの天井面、１ｂはハウスの外壁、１ｃは天井面１ｂに設けた天窓である。２はこのハウス１の上部に張られたカーテンである。３はこのハウス１内の所望の箇所に置かれたヒートポンプ式の空気調和機で、この空気調和機３は凝縮器４及び蒸発器５の両方を内蔵する一体型の冷却機として構成されている。即ち、一体型の冷却機として構成された本実施例の空気調和機は、筐体３ａの内部に前記凝縮器４及び蒸発器５が隔壁３ｂを介して配置され、更に前記凝縮器４を通過して加温された温風を吹き出す温風ダクト６、及び前記蒸発器５で冷却された冷風を吹き出す冷風ダクト７が前記筐体１の上部に、取付け取外し可能に設置されている。前記ダクト６，７は、例えば蛇腹のように、吹出方向を自由に変えることができ、またその長さも、図２，図３に示すように伸縮自在に構成されている。
【００３２】
このような一体型の冷却機として構成された空気調和機３は、従来のように、凝縮器はハウス外に、蒸発器はハウス内に別々に設置して冷媒配管で接続するような構成とはしていないので、ハウス１内の所望の箇所に、いつでも自由に移動して設置することが可能である。
【００３３】
図１はハウス１内の除湿運転をしている状態を示す図である。除湿運転時には、前記温風ダクト６及び前記冷風ダクト７の両方共に、植物などが栽培されているハウス内にその吹出口を開口し、温風及び冷風をハウス内に吹き出す。除湿は蒸発器５で行われるが、その蒸発器５からの冷風だけでなく、凝縮器４からの温風もハウス内に吹き出すので、ハウス内の温度は低下も上昇もしない。なお、冷風と温風は同一方向に吹き出して互いに混合されるようにすればハウス内全体の温度むらを低減できる。また、比較的低温を好む植物には冷風を送り、高温を好む植物には温風を送ることも可能である。
【００３４】
なお、除湿運転時において、従来のものでは、ハウス内の温度低下を防止するため、吹出し風量を低下させる必要があり、ハウス内全体をむらなく除湿することは困難であった。これに対し、本実施例のものでは、凝縮器からの温風もハウス内に吹き出すため、除湿運転時の風量を従来のものに比べ、少なくとも２倍以上に増大でき、４倍以上に大幅に増大させることも容易に可能となる。この結果、ハウス内の気流の循環も良くなり、ハウス内全体の湿度や温度のばらつきを低減できる効果がある。この効果は非常に大きく、特に薔薇などの栽培における病害対策や病害予防に極めて効果が大きい。即ち、湿度が高いと、うどんこ病などの原因菌が繁殖し、湿度が低くなると生長した原因菌が破裂して胞子が飛散し、薔薇の葉などに付着するとうどん粉病などの病気が発生する。本実施例により、ハウス内の除湿をし、湿度ムラも低減できることにより、うどんこ病などの病気の発生を効果的に抑制することが可能になる。
【００３５】
前記ダクト６，７からの冷風又は温風が直接植物に当たらず、遠方まで吹出風が届くように、ダクトの吹出口は水平になるように、或いはやや上方に向けて使用すると良い。
【００３６】
図２はハウス１内に冷風を送り、ハウス内を除湿すると共に冷却する場合の状態を示している。ハウス内を除湿、冷却する場合には、温風ダクト６を上方に伸ばして、ハウスの天井面１ａとカーテン２との間の天井空間１ｄに開口させる。これにより凝縮器４で加温された温風はダクト６を介して天井空間１ｄに吹出され、天井空間１ｄから天窓１ｃを介してハウス外に排出される。従って、ハウス１内には蒸発器５で冷却され除湿された冷風のみが冷風ダクト７から吹き出され、ハウス内を除湿すると共に冷却することができる。
【００３７】
図３はハウス１内に温風を送り、ハウス内を暖める（加温する）と共に除湿する場合の状態を示している。ハウス内を除湿、加温する場合には、冷風ダクト７を上方に伸ばして、ハウスの天井面１ａとカーテン２との間の天井空間１ｄに開口させる。また、温風ダクト６は縮めてハウス１内に開口させる。これにより蒸発器５で冷却された冷風はダクト７を介して天井空間１ｄに吹出され、天井空間１ｄから天窓１ｃを介してハウス外に排出される。従って、ハウス１内には温風ダクト６からの温風のみが吹き出され、ハウス内を暖めると共にハウス内の相対湿度を低減できる。また、前記蒸発器５では導入した空気中の水分を凝縮するので、ハウス内の絶対湿度も低下させることができる。
【００３８】
このように本実施例のものでは、ハウス内を除湿できるだけでなく、冷却や加温もでき、更には空気調和機をハウス内の所望のところに台車やクレーンを利用して自由に移動させたり、ダクトの方向を変化させたり伸縮することで、随時所望のエリアの空調も可能になるものである。
【００３９】
図１〜図３に示す空気調和機の具体的な構成の一例を図４〜図６により説明する。図４は本実施例の空気調和機を一部破断して内部構造がわかるようにした正面図、図５は図４の空気調和機を左側から見た側面図で、図４と同様内部構造がわかるように一部破断して示す図、図６は図４の平面図である。これらの図において図１〜図３と同一符号を付した部分は同一又は相当する部分を示している。
【００４０】
図４〜図６において、３ａは空気調和機の筐体で、この筐体３ａ内は隔壁３ｂで仕切られ、一方の部屋には凝縮器４と、この凝縮器４に空気を導入して熱交換して加温された温風をダクト６から吹き出すための凝縮器側送風機８が設けられ、この送風機８は電動機９で駆動される。筐体内の他方の部屋には、蒸発器５と、この蒸発器５に空気を導入して熱交換させ、冷却、除湿された冷風をダクト７から吹き出すための蒸発器側送風機１０が設けられている。前記送風機１０は前記隔壁３ａに取り付けられた電動機１１で駆動される。蒸発器５の下方には蒸発器で凝縮された凝縮水を受けるドレンパン１２が設けられており、このドレンパンに溜まった凝縮水を外部へ排出するためのドレン排水孔１３も筐体下部に設けられている。１４は圧縮機、１５は圧縮機の吸込側に設けられたアキュームレータ、１６は圧縮機１４や前記送風機８，１０を駆動するための電気品が設けられた電気品箱である。
【００４１】
図６に示すように、凝縮器４及び蒸発器５が設置されている部分の筐体３ａには、空気を凝縮器４又は蒸発器５に導入するための凝縮器吸込口３ｃ及び蒸発器吸込口３ｄが形成されている。また、凝縮器吸込口３ｃの入口及び蒸発器吸込口３ｄの入口には、図４，図５に示すように、それぞれ吸込フィルタ１７，１８が設置され、肥料粉や農薬などの粉塵が空気調和機内に入って、銅製の冷媒配管を腐食させたり、各種機器、電気品などの故障の原因にならないようにしている。なお、凝縮器側の吸込フィルタ１７については保護網程度の簡単なフィルタとし、蒸発器側のフィルタ１８についてはロングライフフィルタなどを使用することも可能である。
【００４２】
なお、図６では、図４や図５に示すダクト６，７を省略している。筐体３ａの上面には温風の吹出口と３ｅと冷風の吹出口３ｆが設けられ、これらの吹出口３ｅ，３fに接続されるように前記ダクト６，７は前記筐体３ａ上面に取り付けられている。
【００４３】
図７は本実施例における冷凍サイクル構成図で、この図において図１〜図６と同一符号を付した部分は同一又は相当する部分を示している。圧縮機１４は圧縮機モータ１４ａで駆動され、このモータ１４ａは商用電源１９に接続されている。このモータ１４ａと商用電源１９を接続する電気回路にはマグネットスイッチ２０が設けられており、このマグネットスイッチ２０は空気調和機３に設けた湿度センサ２１からの信号で開閉され、例えば湿度が第１の設定値まで上昇するとマグネットスイッチ２０がONされ、湿度が前記第１の設定値より低い第２の設定値まで下がるとOFFされるように構成されている。
【００４４】
圧縮機１４で圧縮された高温高圧の冷媒ガスは、冷媒配管２２を介して凝縮器４に送られ、凝縮器側送風機８により導入された空気と熱交換して凝縮し、その後キャピラリチューブなどの減圧装置で減圧されて蒸発器５に送られる。この蒸発器５において、低温低圧の冷媒は、蒸発器用ファン１０により導入された空気と熱交換して蒸発し、アキュームレータ２４を経て再び前記圧縮機１４に吸入される。２５は圧縮機１４の吐出側の冷媒配管２２と吸入側の冷媒配管２６を接続するバイパス回路２７に設けられた定圧力式の膨張弁である。この定圧力式膨張弁２５は、外気温が低く、凝縮器４への吸込空気が低い場合に作動する。即ち、凝縮器４への吸込空気の温度が低下すると凝縮圧力が低下し、吐出側冷媒配管２２内の圧力が一定圧力まで低下すると定圧力式膨張弁２５が作動して開となる。これにより、高温高圧のガス冷媒の一部はバイパス回路２７を介して吸込側に流れ、圧縮機吸込側の温度、圧力を上昇させることで圧縮機吐出圧力、吐出温度を確保し、圧縮機１４への液冷媒の溜まり込みを防止して圧縮機を保護することができる。
【００４５】
なお、上記の定圧力式膨張弁を有するバイパス回路を設ける代わりに、前記凝縮器用ファン８の回転数を可変できるようにし、外気温度を検出して、外気温度が低下して凝縮器への吸込空気の温度が低下した場合には、ファン８の回転数を下げるようにしても良い。このようにすれば、凝縮器での凝縮能力を低下させることができ、圧縮機の吐出圧力、吐出温度を確保することが可能となり、圧縮機が液圧縮して破損することなどを防止できる。
【００４６】
なお、図７に示す例では、湿度センサ２１を設けて湿度に応じて圧縮機をON/OFFするものを示したが、これに限られず、湿度センサ２１の代わりに温度センサを用いて圧縮機をON/OFFしたり、湿度センサ及び温度センサの両方を設けて制御するようにしても良い。また、温度センサや湿度センサを用いて、ファン８，１０をON/OFFするように構成することも有効である。
【００４７】
ビニールハウスなどの施設園芸ハウス内は、夏は非常に高温になり４０℃を超える環境、例えば４０〜４８℃という高温の環境でも能力を出せるようにすることが好ましい。本実施例では、このような高温環境化でも、除湿及び冷却ができるようにしている。即ち、凝縮器４の大きさ（熱交換面積、熱交換容量）を蒸発器５よりも大とし、更に凝縮器用ファン８はプロペラファンとし、蒸発器用ファン１０はシロッコファンとすることで、凝縮器側の風量を蒸発器側の２〜３倍として凝縮能力を十分に確保できるようにしている。蒸発器用ファンはシロッコファンとしているため、静圧を高くできるから、冷風ダクト７を長くして冷風を遠方まで送風することが可能となっている。なお、凝縮器用ファンとしてシロッコファンやターボファンを使用すれば、静圧をより高くできるから温風ダクト６も長くして、温風を遠くまで送ることが可能となる。また、蒸発器用ファンとしてターボファンを採用すれば、高効率で騒音の小さい空気調和機が得られる。
【００４８】
また、施設園芸ハウスでは、薔薇や野菜などの栽培において、病気の発生を防止したり肥料を与えるため、硫黄やアンモニアを含む腐食性の農薬や肥料を散布するが、硫黄などが空気調和機に流入し、銅パイプで構成された冷媒配管などに触れると銅パイプなどが腐食しやすくなる。このため、本実施例において、好ましくは銅パイプにアクリル系樹脂塗装などの耐腐食コーティングをすると良い。また、熱交換器（凝縮器や蒸発器）本体についてもカチオン電着塗装によるコーティングをすることが好ましい。更に、電気品箱内の電気部品（基板など）はヒューミシールによるコーティングをすると良い。
【実施例２】
【００４９】
図８及び図９は、本発明の実施例２を示すもので、図８は正面図、図９は側面図である。この実施例において、実施例１と同一符号を付した部分は同一又は相当する部分を示している。
【００５０】
この実施例においては、空気調和機３を自由に移動可能にするため、空気調和機３の筐体３aの下部にキャスタ２８を設けている。このようにキャスタ２８を備えることにより、台車やクレーンなどを使用することなく、空気調和機を、施設園芸ハウス内を自由に移動させることができる。従って、空調や除湿をしたい施設園芸ハウス内の空調対象エリアに随時容易に移動させて、必要な箇所の除湿や空調を容易に行うことが可能になる。
【００５１】
特に、施設園芸ハウス内に舗装路を設けたり、舗装路がない場合でもコンパネ（ベニア合板）などを地面に敷くことで、空気調和機の移動はより容易に可能となる。
【００５２】
なお、上記実施例においては、何れも温風ダクト６と冷風ダクト７を備えるものについて説明したが、温風ダクト６については、必ずしも必要ではなく、除湿及び冷風吹出し運転のみで良い場合にはなくても良い。
【符号の説明】
【００５３】
１  施設園芸ハウス（１ａ：天井面、１ｂ：外壁、１ｃ：天窓、１ｄ：天井空間）
２  カーテン
３  空気調和機（３ａ：筐体、３ｂ：隔壁、３ｃ：凝縮器吸込口、３ｄ：蒸発器吸込口）
４  凝縮器
５  蒸発器
６  温風ダクト
７  冷風ダクト
８  凝縮器用ファン
９，１１  電動機
１０  蒸発器用ファン
１２  ドレンパン
１４  圧縮機（１４ａ：圧縮機モータ）
１６  電気品箱
１７，１８  吸込フィルタ
２１  湿度センサ
２５  定圧力式膨張弁
２８  キャスタ
【図１】
0005514514.tif 000002
【図２】
0005514514.tif 000003
【図３】
0005514514.tif 000004
【図４】
0005514514.tif 000005
【図５】
0005514514.tif 000006
【図６】
0005514514.tif 000007
【図７】
0005514514.tif 000008
【図８】
0005514514.tif 000009
【図９】
0005514514.tif 000010